(57)【要約】【課題】長手方向に連続する２本の幕板部材の伸縮を許容しつつも意匠性に優れた介装部材等を提供する。【解決手段】長手方向に連続する２本の幕板部材間に介装される介装部材であって、各々の前記幕板部材の、前記長手方向と交差する方向における移動を互いに規制する規制部と、前記２本の幕板部材の互いに対向する小口間に配置されている弾性部と、を備え、前記対向する小口間を繋いでいる。【選択図】図３
2020128657.tif 000002
【特許請求の範囲】
【請求項１】
長手方向に連続する２本の幕板部材間に介装される介装部材であって、
各々の前記幕板部材の、前記長手方向と交差する方向における移動を互いに規制する規制部と、
前記２本の幕板部材の互いに対向する小口間に配置されている弾性部と、
を備え、
前記対向する小口間を繋いでいることを特徴とする介装部材。
【請求項２】
請求項１に記載の介装部材であって、
前記２本の幕板部材の互いに対向する小口にそれぞれ取り付けられる小口部材と、
各々の前記小口部材にそれぞれ接合され前記弾性部をなす弾性部材と、
を有し、
前記規制部は、
前記２本の幕板部材のうちの一方の前記幕板部材に取り付けられる前記小口部材に設けられ、前記２本の幕板部材のうちの他方の前記幕板部材に取り付けられる前記小口部材側に突出する突出部と、
前記他方の前記幕板部材に取り付けられる前記小口部材に設けられ、前記突出部が挿抜方向に移動可能に挿入される開孔と、
により構成されていることを特徴とする介装部材。
【請求項３】
請求項２に記載の介装部材であって、
前記幕板部材は、前記長手方向に貫通する中空部を有し、
前記小口部材が前記小口に取り付けられた状態で、前記中空部の内外を連通する連通孔が設けられていることを特徴とする介装部材。
【請求項４】
請求項１乃至請求項３のいずれかに記載の介装部材であって、
前記弾性部は、独立気泡を有する発泡体により構成されていることを特徴とする介装部材。
【請求項５】
請求項１乃至請求項４のいずれかに記載の介装部材が、長手方向に連続する前記２本の幕板部材間に介装された幕板を備えていることを特徴とするデッキ。
【発明の詳細な説明】
【技術分野】
【０００１】
本発明は、長手方向に連続する２本の幕板部材間に介装される介装部材、及び、介装部材が介在されている幕板を備えるデッキに関する。
【背景技術】
【０００２】
デッキに備えられる幕板を構成する幕板部材のような長尺の部材は、熱伸縮等により長手方向に、より大きく変形するので、長尺の部材を長手方向に連続させて設ける場合には、各部材の伸縮を許容しつつ各部材の対向する端部となる小口を各々隠す必要がある。このため、例えば、庭などに設置されるデッキに設けられる複数のデッキ材の対向する小口間に弾性変形可能な塞ぎ材を介在させて、デッキ材の長手方向における伸縮を許容させつつ目地を塞ぐことが知られている（例えば、特許文献１参照）。
【先行技術文献】
【特許文献】
【０００３】
【特許文献１】特開２０１５−１４０５２９号公報
【発明の概要】
【発明が解決しようとする課題】
【０００４】
上記従来のデッキのデッキ材は、デッキ材の長手方向と交差する方向に設けられている複数の大引に渡って配置され、デッキ材の側部に長手方向に沿って設けられている係合凹部に、大引に固定されている取付具を係合させて取り付けられている。このとき、長手方向に連続する２本のデッキ材は、大引に複数取り付けられている同一の取付具に、各々の係合凹部が係合されて各々取り付けられているので、２本のデッキ材が弾性変形可能な塞ぎ材により繋がっていたとしても、直線状に繋がって、各デッキ材の小口が互いに対向する位置から外れることは生じ難い。ところが、デッキに用いる幕板を構成する幕板部材は、複数並べられているデッキ材の小口や、デッキ材の側部に側方から当接されて大引等に固定されるので、２本の幕板部材が弾性変形可能な部材により繋がっていると、２本の幕板部材間において屈曲してしまい、２本の幕板部材を長手方向に沿って直線状に配置することができず意匠性が損なわれる虞があるという課題がある。
【０００５】
本発明は、かかる課題に鑑みてなされたものであり、その目的とするところは、長手方向に連続する２本の幕板部材の伸縮を許容しつつも意匠性に優れた介装部材、及び、デッキを提供することにある。
【課題を解決するための手段】
【０００６】
かかる目的を達成するために本発明の介装部材は、長手方向に連続する２本の幕板部材間に介装される介装部材であって、各々の前記幕板部材の、前記長手方向と交差する方向における移動を互いに規制する規制部と、前記２本の幕板部材の互いに対向する小口間に配置されている弾性部と、を備え、前記対向する小口間を繋いでいることを特徴とする介装部材である。
本発明の他の特徴については、本明細書及び添付図面の記載により明らかにする。
【発明の効果】
【０００７】
本発明によれば、長手方向に連続する２本の幕板部材の伸縮を許容しつつも意匠性に優れた介装部材、及び、デッキを提供することが可能である。
【図面の簡単な説明】
【０００８】
【図１】本発明にかかる介装部材を備えたデッキの一例を示す外観図である。
【図２】デッキ材が大引に固定されている状態を建物に向く方向から見た図である。
【図３】デッキ材及び大引に固定される幕板の構成を説明する斜視図である。
【図４】幕板部材及び介装部材の構成を説明する斜視図である。
【図５】一方の小口部材に弾性部材が貼り付けられている状態を弾性部材側から見た図である。
【発明を実施するための形態】
【０００９】
以下、本発明の一実施形態に係る介装部材、及び、介装部材が介在されている幕板を備えるデッキについて図面を参照して説明する。
本実施形態では、図１に示すように、建物１の屋外側に、建物１が備える掃き出し窓１ａに隣接して設けられるデッキ２を例に挙げて説明する。
【００１０】
以下の説明においては、設置されているデッキ２を屋外側から建物１に向かって見たときに、上下となる方向を上下方向、左右となる方向を左右方向、屋内外方向である奥行き方向を見込み方向として示す。デッキ２の各部位であっても、また、デッキ２を構成する各部材については単体の状態であっても、デッキ２が設置されている状態で上下方向、左右方向、見込み方向等となる方向にて方向を特定して説明する。
【００１１】
デッキ２は、図１、図２に示すように、見込み方向に沿って配置された複数のデッキ材２０が左右方向に並べて配置されている。各デッキ材２０は、立設された複数の束柱２１に左右方向に沿って掛け渡されている大引２２上に取付金具２３を介して取り付けられている。大引２２上に固定される取付金具２３は、上方に延出されて互いに隣接するデッキ材２０間に配置される鉛直片２３ａと、鉛直片２３ａから両側に位置するデッキ材２０側に各々延出される延出片２３ｂと、を有している。
【００１２】
鉛直片２３ａから両側に延出された延出片２３ｂが、各デッキ材２０の両側部に設けられて長手方向に沿う溝部２０ａに挿入され、デッキ材２０は固定ピン２４を介して取付金具２３に固定されている。このため、複数のデッキ材２０を、長手方向に連続させて設ける場合であっても、デッキ材２０は、大引２２により下方への移動が、取付金具２３により上方及び左右方向への移動が規制されて取り付けられている。
【００１３】
左右方向に並べて設けられている複数のデッキ材２０における建物１とは反対側（以下、反建物側という）の端部、及び、左右方向に並べて設けられている複数のデッキ材２０の左右の端に配置されているデッキ材２０の側部に、側方から幕板３が取り付けられている。デッキ２の左右の側端に設けられた幕板３と、デッキ２の反建物側に設けられた幕板３とは、デッキ２の角部に位置する端部３ａが、各々長手方向に対して４５度の角度に切断されており、４５度に切断されている端部３ａ同士が突き合わされ、図示しない連結金具により連結されている。
【００１４】
デッキ２の左右の側端に配置される幕板３はいずれも、長手方向が見込み方向に沿わされ、角部を形成する幕板部材（以下、角部の幕板部材という）３０と、角部の幕板部材３０の建物１側に配置されて長手方向に連続する幕板部材（以下、建物側の幕板部材という）３０と、を有しており、長手方向に連続する角部の幕板部材３０と建物側の幕板部材３０の対向する小口３０ａ間に介装部材４が介装されている。
【００１５】
また、デッキ２の反建物側に設けられる幕板３は、長手方向が左右方向に沿わされ、左右の端部に配置される２本の角部の幕板部材３０と、２本の角部の幕板部材３０間に配置される幕板部材（以下中間の幕板部材という）３０と、を有しており、長手方向に連続する中間の幕板部材３０と、２つの角部の幕板部材３０のいずれか一方との対向する小口３０ａ間にも介装部材４が介装されている。
【００１６】
角部の幕板部材３０と建物側の幕板部材３０との間、及び、中間の幕板部材３０と角部の幕板部材３０との間に介装される介装部材４、及び、この介装部材４が介装されている構造は同じなので、ここでは、図３に示すように、角部の幕板部材３０と建物側の幕板部材３０との間に介装される介装部材４、及び、この介装部材４が介装されている構造を例に挙げて説明する。この場合には、幕板３をなす２本の幕板部材３０が連続する長手方向は、見込み方向である。
【００１７】
幕板部材３０は、図４に示すように、長手方向に貫通する３つの中空部３０ｂを備え、木粉を含有した合成樹脂製の押出成型部材である。幕板部材３０は、デッキ材２０とは反対側にて露出する外面部３０ｃと、外面部３０ｃのデッキ材２０側に間隔を空けて対向する内面部３０ｄと、外面部３０ｃと内面部３０ｄとの上端を繋ぐ上面部３０ｅと、外面部３０ｃと内面部３０ｄとの下端を繋ぐ下面部３０ｆと、上面部３０ｅと下面部３０ｆとの間に上下方向に互いに間隔を空けて設けられている２つのリブ３０ｇと、内面部３０ｄの上下方向における中央からデッキ材２０側に突出する突片３０ｈと、を有している。
【００１８】
幕板部材３０には、外面部３０ｃ、内面部３０ｄ、上面部３０ｅ、下面部３０ｆ、及び２つのリブ３０ｇにより形成される３つの中空部３０ｂが各々、断面が縦長の長方形状をなしており、上下方向に３つ並べて設けられている。また、上面部３０ｅ及び下面部３０ｆは、デッキ材２０側に突出しており、その突出量は、突片３０ｈの突出量と同じである。
【００１９】
介装部材４は、角部の幕板部材３０と建物側の幕板部材３０との小口３０ａに各々取り付けられる合成樹脂製の２つの小口部材４０と、２つの小口部材４０の間に設けられて弾性変形可能な弾性部をなす弾性部材４１と、を有している。ここで、弾性部材４１は、例えば、エチレンプロピレンジエンゴムを発泡させて独立気泡が形成されたシート状の発泡体から形成されている。
【００２０】
小口部材４０は、図４、図５に示すように、幕板部材３０の小口３０ａと対向し小口３０ａの一部を除く部位を覆う平板状の覆い板部４０ａと、覆い板部４０ａの小口３０ａ側の面から突出し幕板部材３０の中空部３０ｂに嵌合される嵌合部４０ｂと、覆い板部４０ａの弾性部材４１側の面から突出する小口部材突出部４０ｃと、を有している。
【００２１】
嵌合部４０ｂは、幕板部材３０が有する３つの中空部３０ｂにそれぞれ嵌合されるように３つ設けられている。各嵌合部４０ｂは、上下方向に間隔を空けて対向する上下の横板部４０ｄと、左右方向に間隔を空けて対向する左右の縦板部４０ｅとが矩形状に繋がるとともに、各横板部４０ｄは、各縦板部４０ｅよりも左右方向に延出しており、各縦板部４０ｅは各横板部４０ｄよりも上下方向に延出しており、幕板部材３０の長手方向から見たときに井桁状をなしている。
【００２２】
縦板部４０ｅの上下方向の長さは、中空部３０ｂの上下方向の幅より僅かに狭く、横板部４０ｄの左右方向の長さは、中空部３０ｂの左右方向の幅より僅かに狭く形成されて、各嵌合部４０ｂが各中空部３０ｂに嵌合されるように構成されている。
【００２３】
覆い板部４０ａは、小口３０ａにおける、上面部３０ｅの小口３０ａと下面部３０ｆの小口３０ａとの間の領域であって、デッキ材２０側の縦板部４０ｅの端よりもデッキ材２０側の領域を除く部位を覆うように、小口３０ａに接着されている。このため、幕板部材３０は小口部材４０が取り付けられた状態であっても、中空部３０ｂにおいて覆い板部４０ａに覆われない部位が、小口３０ａにおいて中空部３０ｂの内外を連通する連通孔３ｂをなしている。また、覆い板部４０ａには、３つの嵌合部４０ｂのうちの上または下に位置する一方の嵌合部４０ｂを形成する横板部４０ｄ及び縦板部４０ｅに囲まれている内側が長方形状の開孔４０ｆをなしている。
【００２４】
小口部材突出部４０ｃは、覆い板部４０ａにおいて開孔４０ｆが設けられている、上または下に位置する一方の嵌合部４０ｂとは異なる他方の嵌合部４０ｂを形成する横板部４０ｄ及び縦板部４０ｅがなす長方形の裏側に突出させて設けられている。たとえば、上の嵌合部４０ｂの内側に開孔４０ｆが設けられている場合には、下側の嵌合部４０ｂの横板部４０ｄ及び縦板部４０ｅの内側となる位置に、嵌合部４０ｂとは反対側に突出させて小口部材突出部４０ｃが設けられている。
【００２５】
長手方向に連続する２本の幕板部材３０の対向する小口３０ａにそれぞれ取り付けられる小口部材４０は、同一の部材であり、各々の幕板部材３０の中空部３０ｂに各小口部材４０の嵌合部４０ｂが嵌合されて接着された状態では、互いの小口部材４０は、反転した姿勢となる。このため、小口部材４０が取り付けられた２本の幕板部材３０を長手方向に連続させて配置すると、一方の幕板部材３０に取り付けられた小口部材４０の小口部材突出部４０ｃが、他方の幕板部材３０に取り付けられた小口部材４０に設けられた開孔４０ｆと、また、他方の幕板部材３０に取り付けられた小口部材４０の小口部材突出部４０ｃが、一方の幕板部材３０に取り付けられた小口部材４０に設けられた開孔４０ｆと対向する位置に配置される。
【００２６】
そして、２本の幕板部材３０の互いに対向する小口３０ａにそれぞれ取り付けられた小口部材４０間に弾性部材４１が接着された状態では、一方の幕板部材３０に取り付けられた小口部材４０の小口部材突出部４０ｃが、他方の幕板部材３０に取り付けられた小口部材４０に設けられた開孔４０ｆに挿入され、他方の幕板部材３０に取り付けられた小口部材４０の小口部材突出部４０ｃが、一方の幕板部材３０に取り付けられた小口部材４０に設けられた開孔４０ｆに挿入される。このため、小口部材突出部４０ｃの覆い板部４０ａからの突出量は、弾性部材４１の見込み方向の幅よりも十分長く形成されている。
【００２７】
また、小口部材突出部４０ｃは、開孔４０ｆに挿入されたときに、上下の横板部４０ｄとそれぞれ対向する上下の横片部４０ｇと、上下の横片部４０ｇのデッキ材２０とは反対側の縁を繋ぐ縦片部４０ｈと、を有している。上側の横片部４０ｇの上面から下側の横片部４０ｇの下面までの幅は、開孔４０ｆの上下方向の幅よりも僅かに狭く、上下の横片部４０ｇのデッキ材２０側の縁と縦片部４０ｈのデッキ材２０とは反対側の面との間隔は、開孔４０ｆの左右方向の幅よりも僅かに狭く形成されている。
【００２８】
このため、開孔４０ｆに挿入された小口部材突出部４０ｃは挿抜方向に滑らかに移動可能であり、かつ、小口部材突出部４０ｃが開孔４０ｆを形成する嵌合部４０ｂの横板部４０ｄ及び縦板部４０ｅにより、長手方向と交差する方向となる上下方向及び左右方向への移動が規制されるように構成されている。ここで、２つの小口部材４０において、小口部材突出部４０ｃと、小口部材突出部４０ｃが挿入される開孔４０ｆ及び挿通された小口部材突出部４０ｃの移動を規制する嵌合部４０ｂが、長手方向に連続する２本の幕板部材３０の、長手方向と交差する方向における移動を互いに規制する規制部に相当する。
【００２９】
弾性部材４１は、幕板部材３０の上面部３０ｅ、外面部３０ｃ、及び、下面部３０ｆの小口３０ａに沿って繋がるようにコの字状をなしている。このため、２本の幕板部材３０の互いに対向する小口３０ａにそれぞれ取り付けられた小口部材４０間に弾性部材４１が接着されて、デッキ２に取り付けられると、正面、上方、下方のいずれの方向から見ても２本の幕板部材３０間に隙間は視認されない。また、２本の幕板部材３０の間にて視認される小口部材４０及び弾性部材４１は、目地をなし、幕板部材３０の色に合わせて、例えば、黒色、茶色などに着色されている。また、弾性部材４１は、幕板部材３０の外側に突出しないように、上面部３０ｅ、外面部３０ｃ、及び、下面部３０ｆの表面よりも僅かに内側に設けられている。
【００３０】
本実施形態の介装部材によれば、長手方向に連続する２本の幕板部材３０の互いに対向する小口３０ａの各々の側に、介装部材４の弾性部材４１がそれぞれ接合されているので、長手方向に連続する２本の幕板部材３０の伸縮を許容することが可能である。
また、介装部材４は、各々の幕板部材３０の、長手方向と交差する方向における移動を互いに規制する規制部をなす小口部材突出部４０ｃ、開孔４０ｆ、及び、嵌合部４０ｂを有しているので、長手方向に連続する２本の幕板部材３０をほぼ直線状に配置することが可能である。
【００３１】
また、対向する小口３０ａ間を繋いでいる介装部材４が備える弾性部材４１は、対向する小口３０ａにおいて幕板部材３０の上面部３０ｅ間、外面部３０ｃ間、下面部３０ｆ間に配置されているので、２本の幕板部材３０の小口３０ａ間において視認され易い側を覆うことが可能である。このため、長手方向に連続する２本の幕板部材３０の伸縮を許容しつつも意匠性に優れた介装部材４を提供することが可能である。
【００３２】
また、幕板部材３０の互いに対向する小口３０ａにそれぞれ取り付けられる小口部材４０のうちの一方の小口部材４０に設けられている小口部材突出部４０ｃは、他方の小口部材４０側に突出し、他方の小口部材４０が有する開孔４０ｆに、挿抜方向に移動可能に挿入されるので、各幕板部材３０の伸縮を許容しつつも、長手方向と交差する方向における移動を互いに規制することが可能である。このとき、各幕板部材３０の互いに対向する小口３０ａにそれぞれ取り付けられている小口部材４０に弾性部をなす弾性部材４１が接合されているので、対向する小口３０ａ間をより確実に繋き、且つ、各幕板部材３０の伸縮を許容しつつ各々の幕板部材３０の小口３０ａを隠すことが可能である。
【００３３】
また、小口部材４０が小口３０ａに取り付けられた状態で、中空部３０ｂの内外を連通する連通孔３ｂが設けられているので、たとえ幕板部材３０の中空部３０ｂに雨水等が進入したとしても連通孔３ｂから排出させることが可能である。
【００３４】
また、弾性部材４１は、独立気泡を有する発泡体なので、発泡体の独立気泡に水が浸入することがない。このため、低温時に水が凍結して弾性部材４１の弾性が失われることを防止できる。また、水の凍結によって弾性部材４１が膨張することもないため、この膨張により複数の中空部３０ｂが閉塞されることを防止できる。
【００３５】
また、本実施形態のデッキ２によれば、長手方向に連続する２本の幕板部材３０の伸縮を許容しつつも意匠性に優れた介装部材４を幕板３が備えているので、幕板部材３０の伸縮が生じたとしても幕板部材３０の小口３０ａが視認され難い、意匠性に優れたデッキ２を提供することが可能である。
【００３６】
上記実施形態においては、弾性部材４１が小口部材４０に接着されている例について説明したが、小口部材４０の外径形状が幕板部材３０の小口３０ａの外形形状よりも小さい場合には、弾性部材は、小口部材４０の覆い板部４０ａと幕板部材３０の小口３０ａとに跨がって接着されていてもよい。
【００３７】
また、上記実施形態においては、弾性部材４１がエチレンプロピレンジエンゴムを発泡させた独立気泡を有する発泡体により構成されている例について説明したが、これに限らず、例えば、クロロプレンゴムを発泡させた発泡体によって形成されていてもよい。
【００３８】
また、上記実施形態においては、長手方向に連続する２本の幕板部材３０の対向する小口３０ａにそれぞれ同一の小口部材４０を取り付けた例について説明したが、必ずしも同一の部材でなくとも構わない。たとえば、２本の幕板部材の対向する小口にそれぞれ設けられ、互いに長手方向にスライド可能に係合して、２つ小口部材間において、幕板部材の小口間に弾性部材が接着可能であれば構わない。
【００３９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４０】
本実施形態には、少なくとも以下の発明が含まれる。
長手方向に連続する２本の幕板部材間に介装される介装部材であって、各々の前記幕板部材の、前記長手方向と交差する方向における移動を互いに規制する規制部と、前記２本の幕板部材の互いに対向する小口間に配置されている弾性部と、を備え、前記対向する小口間を繋いでいることを特徴とする介装部材である。
【００４１】
このような介装部材によれば、長手方向に連続する２本の幕板部材の互いに対向する小口間に弾性部が配置されて、対向する小口間が繋がれているので、長手方向に連続する２本の幕板部材の伸縮を許容することが可能である。また、介装部材は、各々の幕板部材の、長手方向と交差する方向における移動を互いに規制する規制部を有しているので、長手方向に連続する２本の幕板部材をほぼ直線状に配置することが可能である。また、介装部材は、対向する小口間を繋いでいるので、各幕板部材の互いに対向する小口は視認されにくい。このため、長手方向に連続する２本の幕板部材の伸縮を許容しつつも意匠性に優れた介装部材を提供することが可能である。
【００４２】
かかる介装部材であって、前記２本の幕板部材の互いに対向する小口にそれぞれ取り付けられる小口部材と、各々の前記小口部材にそれぞれ接合され前記弾性部をなす弾性部材と、を有し、前記規制部は、前記２本の幕板部材のうちの一方の前記幕板部材に取り付けられる前記小口部材に設けられ、前記２本の幕板部材のうちの他方の前記幕板部材に取り付けられる前記小口部材側に突出する突出部と、前記他方の前記幕板部材に取り付けられる前記小口部材に設けられ、前記突出部が挿抜方向に移動可能に挿入される開孔と、により構成されていることを特徴とする。
【００４３】
このような介装部材によれば、幕板部材の互いに対向する小口にそれぞれ取り付けられる小口部材のうちの一方の小口部材に設けられている突出部は、他方の小口部材側に突出し、他方の小口部材が有する開孔に挿抜方向に移動可能に挿入されるので、各幕板部材の伸縮を許容しつつも、長手方向と交差する方向における移動を互いに規制することが可能である。このとき、各幕板部材の互いに対向する小口にそれぞれ取り付けられている小口部材に弾性部をなす弾性部材が接合されているので、対向する小口間をより確実に繋き、且つ、各幕板部材の伸縮を許容しつつ各々の幕板部材の小口を隠すことが可能である。
【００４４】
かかる介装部材であって、前記幕板部材は、前記長手方向に貫通する中空部を有し、前記小口部材が前記小口に取り付けられた状態で、前記中空部の内外を連通する連通孔が設けられていることを特徴とする。
【００４５】
このような介装部材によれば、小口部材が小口に取り付けられた状態で、中空部の内外を連通する連通孔が設けられているので、たとえ幕板部材の中空部に雨水等が進入したとしても連通孔から排出させることが可能である。
【００４６】
かかる介装部材であって、前記弾性部は、独立気泡を有する発泡体により構成されていることを特徴とする。
【００４７】
このような介装部材によれば、
弾性部を構成する発泡体の独立気泡に水が浸入することがないので、低温時に水が凍結して弾性部の弾性が失われることを防止できる。また、水の凍結によって弾性部が膨張することもないため、この膨張により複数の中空部が閉塞されることを防止できる。
【００４８】
また、介装部材が、長手方向に連続する前記２本の幕板部材間に介装された幕板を備えていることを特徴とするデッキである。
【００４９】
このようなデッキによれば、長手方向に連続する２本の幕板部材の伸縮を許容しつつも意匠性に優れた介装部材を幕板が備えているので、幕板部材の伸縮が生じたとしても幕板部材の小口が視認されない、意匠性に優れたデッキを提供することが可能である。
【符号の説明】
【００５０】
２  デッキ、３  幕板、３ｂ  連通孔、４  介装部材、３０  幕板部材、
３０ａ  小口、３０ｂ  中空部、３０ｃ  外面部、３０ｅ  上面部、３０ｆ  下面部、
４０  小口部材、４０ｃ  小口部材突出部、４０ｄ  横板部、４０ｅ  縦板部、
４０ｆ  開孔、４１  弾性部材
【図１】
2020128657.tif 000003
【図２】
2020128657.tif 000004
【図３】
2020128657.tif 000005
【図４】
2020128657.tif 000006
【図５】
2020128657.tif 000007